(57)【要約】【課題】風量と温度を十分に確保でき、衣類乾燥能率を向上できる乾燥装置を提供する。【解決手段】乾燥装置１は、空気流Ｂ１を第１吹き出し口Ａ１から吹き出す送風部５１と、温風Ｂ２を第２吹き出し口Ａ２から吹き出す温風供給部５２とを備え、第１吹き出し口Ａ１から空気流Ｂ１が吹き出される送風方向と第２吹き出し口Ａ２から温風Ｂ２が吹き出される温風方向とが被乾燥物に向かう方向となるように第１吹き出し口Ａ１と第２吹き出し口Ａ２とが併設されている。【選択図】図１
2019025040.tif 000002
【特許請求の範囲】
【請求項１】
空気を第１吹き出し口から吹き出す送風部と、
温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設されている乾燥装置。
【請求項２】
前記第２吹き出し口は、前記第１吹き出し口の下方近傍に設けられている請求項１記載の乾燥装置。
【請求項３】
前記第１吹き出し口には、渦巻き状フィンが形成されている請求項１又は２記載の乾燥装置。
【請求項４】
前記送風部は、第１モータによって回転駆動される第１ファンを有し、
前記温風供給部は、第２モータによって回転駆動される第２ファンと、前記第２ファンの下流側に配置された熱源とを有する請求項１から３のいずれか１項に記載の乾燥装置。
【請求項５】
前記送風部は、前記第１ファンとしてプロペラファンを有し、
前記温風供給部は、前記第２ファンとしてシロッコファンを有する請求項４記載の乾燥装置。
【請求項６】
前記温風供給部は、前記第２ファンとしてのシロッコファン及び前記第２モータの回転軸心が水平状となるように構成されている請求項５記載の乾燥装置。
【請求項７】
設置面に載置される台座部と、
前記台座部上に左右首振り自在に支持される可動本体部とを備え、
前記可動本体部は、前記送風部が内設された上部本体部と、前記温風供給部が内設された下部本体部とを有し、前記上部本体部が前記下部本体部に対して上下首振り自在に取着されている請求項４から６のいずれか１項に記載の乾燥装置。
【請求項８】
前記第１吹き出し口と前記第２吹き出し口とが前記上部本体部の前面に形成され、
前記上部本体部と前記下部本体部に連結される可撓性管部材を備え、
前記下部本体部の前記温風供給部から供給される前記温風を、前記可撓性管部材を介して、前記上部本体部に形成された前記第２吹き出し口に誘導する請求項７記載の乾燥装置。
【請求項９】
前記可撓性管部材が蛇腹ホースから成り、前記可撓性管部材の一端が前記上部本体部又は前記下部本体部に対して回転自在に取り付けられている請求項８記載の乾燥装置。
【請求項１０】
前記可動本体部の上面乃至背面側に操作部が設けられている請求項７から９のいずれか１項に記載の乾燥装置。
【請求項１１】
前記第１モータ、前記第２モータ、及び前記熱源を制御する制御部を備え、
前記制御部は、操作部を用いて設定された内容に応じて、前記熱源の発熱量を増減させると共に、前記第１モータ及び前記第２モータの回転数を増減させる請求項４から１０のいずれか１項に記載の乾燥装置。
【請求項１２】
前記第１モータ、前記第２モータ、及び前記熱源を制御する制御部を備え、
前記制御部は、操作部を用いて設定された内容に応じて、前記第２モータと前記熱源とを停止させた状態で前記第１モータの回転数を増減させる請求項４から１０のいずれか１項に記載の乾燥装置。
【請求項１３】
前記第１吹き出し口からの空気吹き出し風量が前記第２吹き出し口からの温風吹き出し風量よりも大きい請求項１から１２のいずれか１項に記載の乾燥装置。
【請求項１４】
前記第１吹き出し口からの空気吹き出し強度が前記第２吹き出し口からの温風吹き出し強度よりも強い請求項１から１２のいずれか１項に記載の乾燥装置。
【発明の詳細な説明】
【技術分野】
【０００１】
本実施の形態は、乾燥装置に関する。
【背景技術】
【０００２】
従来、洗濯などにより水で濡れた衣類やタオルなどの被乾燥物を早く乾かすために、加熱された暖かい空気の気流を被乾燥物に向けて直接送風して乾燥を促進させる衣類乾燥機が提案されている。
【０００３】
例えば、特許文献１には、衣類乾燥機本体内の風路にファンを設け、ファンの下流側にヒータなどの熱源を設け、熱源の下流側にイオン発生素子を設けた衣類乾燥機が開示されている。このような衣類乾燥機によれば、ファンによって空気を衣類乾燥機本体に吸い込み、熱源によって加熱された空気を吹き出し、暖かい空気を洗濯後の衣類に直接当てることができるため、洗濯後の衣類の乾燥を促進させることが可能である。
【先行技術文献】
【特許文献】
【０００４】
【特許文献１】特開２００９−６６０２９号公報
【発明の概要】
【発明が解決しようとする課題】
【０００５】
特許文献１記載の衣類乾燥機は、ファンの下流側にヒータやイオン発生素子を備えているため、衣類乾燥機本体内の風路に於ける通風抵抗が増大し、単一のファンによる送風では、空気流（温風）の風量が不足する。従って、洗濯後の衣類に到達する熱量はほんの僅かであり、衣類の乾燥時間を十分に短縮できない。そこで、温風の風量を上げることも考えられるが、その場合は熱源を冷ましてしまい、温風の温度（熱量）が不足する。
【０００６】
本実施の形態は、風量と温度を十分に確保でき、衣類乾燥能率を向上できる乾燥装置を提供することを目的とする。
【課題を解決するための手段】
【０００７】
本実施の形態の一態様によれば、空気を第１吹き出し口から吹き出す送風部と、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設されている乾燥装置が提供される。
【発明の効果】
【０００８】
本実施の形態によれば、風量と温度を十分に確保でき、衣類乾燥能率を向上できる乾燥装置を提供することが可能である。
【図面の簡単な説明】
【０００９】
【図１】本実施の形態に係る乾燥装置の斜視図である。
【図２】本実施の形態に係る乾燥装置の平面図である。
【図３】本実施の形態に係る乾燥装置の正面図である。
【図４】本実施の形態に係る乾燥装置の左側面図である。
【図５】本実施の形態に係る乾燥装置のフロントパネルを分解した状態の斜視図である。
【図６】本実施の形態に係る乾燥装置の断面図である。
【図７】本実施の形態に係る乾燥装置の要部拡大断面図である。
【図８】本実施の形態に係る乾燥装置下部の内部構造を示す底面図である。
【図９】本実施の形態に係る乾燥装置の上下首振りの説明図である。
【図１０】本実施の形態に係る乾燥装置内の温風流路の説明図である。
【図１１】本実施の形態に係る乾燥装置の背面の説明図であり、（ａ）は乾燥装置の斜視図、（ｂ）は操作部の平面図である。
【図１２】本実施の形態に係る乾燥装置の使用例の説明図である。
【発明を実施するための形態】
【００１０】
次に、図面を参照して、本実施の形態を説明する。以下の図面の記載において、同一又は類似の部分には同一又は類似の符号を付している。
【００１１】
［全体構成］
図１〜図４は、本実施の形態に係る乾燥装置１を示す外観図であり、図１は斜視図、図２は平面図、図３は正面図、図４は左側面図である。この乾燥装置１は、洗濯などにより水で濡れた衣類やタオルなどの被乾燥物を早く乾かすために、加熱された暖かい空気を被乾燥物に向けて吹き出して乾燥を促進させる衣類乾燥機である。
【００１２】
具体的には、図１〜図４に示すように、本実施の形態に係る乾燥装置１は、設置面に載置される台座部２と、台座部２上に左右首振り自在に支持される可動本体部３を備える。可動本体部３は、上部本体部１０と下部本体部２０から成り、台座部２の上に下部本体部２０を載せ、下部本体部２０の上に上部本体部１０をやや前方寄りに積み重ねたような外観になっている。側面から見ると、上部本体部１０の下端が下部本体部２０の前面上部に張り出しているが（図４参照）、正面から見ると、上部本体部１０も下部本体部２０もほぼ同じ幅の箱形で一体感のあるすっきりとしたデザインである（図３参照）。
【００１３】
上部本体部１０は、上部ハウジング１１を有し、この上部ハウジング１１の上面及び左右側面には、外気を取り込むための通気口１１ａが形成されている。上部ハウジング１１の前面には、第１吹き出し口Ａ１と第２吹き出し口Ａ２とが併設されたフロントパネル１２が取り付けられている。下部本体部２０は、下部ハウジング２１を有し、この下部ハウジング２１の左右側面には、外気を取り込むための通気口２１ａが形成されている。上部本体部１０は、下部本体部２０に対して上下首振り自在に取着されている。
【００１４】
詳細については後述するが、上部本体部１０には、常温の空気流Ｂ１を発生させる送風部５１（図６参照）が内設され、下部本体部２０には、温風Ｂ２を供給する温風供給部５２（図６参照）が内設されている。送風部５１は、常温の空気流Ｂ１を第１吹き出し口Ａ１から吹き出し、温風供給部５２は、温風Ｂ２を第２吹き出し口Ａ２から吹き出す。そして、第１吹き出し口Ａ１から空気流Ｂ１が吹き出される送風方向と、第２吹き出し口Ａ２から温風Ｂ２が吹き出される温風方向とが、装置の前方乃至上方を向くように併設されている。図１２のように、乾燥装置１は、装置前方に被乾燥物が設置された使用状態で、前方乃至上方（被乾燥物に向かう方向）へ向けて、常温の空気流Ｂ１と温風Ｂ２を同時に吹き出すように構成されている。なお、本発明に於て、併設とは、並設と言い換えても良く、第１吹き出し口Ａ１と第２吹き出し口Ａ２が重ならないように、並べて設けられていることを意味する。
【００１５】
乾燥装置１は、送風部５１と温風供給部５２とが別々に設けられ、その結果、常温の空気流Ｂ１の風量と温風Ｂ２の温度を十分に確保することができ、衣類乾燥能率を向上させることが可能となる。
【００１６】
［フロントパネル］
図５は、図１に示される乾燥装置１のフロントパネル１２を分解した状態の斜視図である。この図に示すように、上部ハウジング１１には、前方に解放する開口部１１ｂが形成されている。開口部１１ｂの奥（上部ハウジング１１の内部）には、送風用の第１ファンＦ１が取り付けられている。また、蛇腹ホース２３（図６参照）の先端にリング３１が嵌められ、リアパネル３２で上部ハウジング１１に取り付けられている。
【００１７】
フロントパネル１２は、パネル本体１２ａと、パネル枠１２ｂとを有する。上部ハウジング１１の開口部１１ｂに前方からパネル枠１２ｂが取り付けられ、次に、パネル本体１２ａが嵌め込まれる。
【００１８】
フロントパネル１２（パネル本体１２ａ）の上部には、大径の第１吹き出し口Ａ１が設けられている。第１吹き出し口Ａ１には、前方へ向けて吹き出される空気流Ｂ１が渦を巻くように回転力を付与してスパイラル気流（後述する。）を発生させる渦巻き状フィンＣ１が形成されている。渦巻き状フィンＣ１は、渦巻き形状の隙間を形成するように設けられた複数の弯曲フィンを有している。
【００１９】
第１吹き出し口Ａ１の下方近傍には、小径の第２吹き出し口Ａ２が設けられている。第２吹き出し口Ａ２は、少なくともフロントパネル１２の範囲内であって、第１吹き出し口Ａ１の直径の１．２倍〜２．０倍の直径の同心円範囲に（第２吹き出し口Ａ２の）中心点が配設され、かつ、第１吹き出し口Ａ１の下端部と第２吹き出し口Ａ２の上端部が、第２吹き出し口Ａ２の直径の１０％〜３０％の短距離で近接している。第２吹き出し口Ａ２には、温風Ｂ２の吹き出し方向を前方調整するルーバーＣ２が付設されている。ルーバーＣ２は、水平方向に隙間をあけて平行に組んだ複数の羽板を有している。なお、パネル本体１２ａは、第２吹き出し口Ａ２を成す部材が、第１吹き出し口Ａ１を成す部材に着脱自在に嵌着されている。
【００２０】
前記構成により、上部本体部１０上方寄りの第１吹き出し口Ａ１から常温の空気流Ｂ１が吹き出され、上部本体部１０下方寄りの第２吹き出し口Ａ２から温風Ｂ２が吹き出されることになる。第１吹き出し口Ａ１と第２吹き出し口Ａ２とが隣接して別々に設けられているため、使用者は、第２吹き出し口Ａ２の前方に手をかざせば吹き出される温風Ｂ２の風量と熱量を感じることができる。
【００２１】
［温風発生方式］
図６は、本実施の形態に係る乾燥装置１の断面図である。以下、図６を用いて、本実施の形態に係る乾燥装置１の温風発生方式について詳細に説明する。
【００２２】
既に説明したように、上部本体部１０には、常温の空気流Ｂ１を発生させる送風部５１が内設されている。送風部５１は、送風用の第１ファンＦ１と、第１ファンＦ１を回転駆動する第１モータＭ１を有する。第１ファンＦ１としては、軸流式のプロペラファン（例えば、１５ｃｍの羽根径）を採用するのが望ましい。このようなプロペラファンによれば、大風量の空気流Ｂ１を形成することができる。
【００２３】
一方、下部本体部２０には、温風Ｂ２を供給する温風供給部５２が内設されている。温風供給部５２は、温風発生用の第２ファンＦ２と、第２ファンＦ２を回転駆動する第２モータＭ２と、第２ファンＦ２の下流側に配置されたＰＴＣ（Positive Temperature Coefficient）ヒータ等の熱源２２とを有する。第２ファンＦ２としては、遠心式のシロッコファンを採用するのが望ましい。このようなシロッコファンは、空気を押し出す力が強いため、熱源２２を設けたことによる通風抵抗の増加の影響を受けにくい。そのため、温風Ｂ２の風量を十分に確保することができ、大風量の空気流Ｂ１に温度の高い温風Ｂ２を混合して、衣類乾燥能率を向上させることが可能となる。
【００２４】
［スパイラル気流＋温風の効果］
まず、図６に示すように、送風部５１によって発生させた空気流Ｂ１は、第１吹き出し口Ａ１に付設された渦巻き状フィンＣ１を通過することで、渦を巻きながら直進するスパイラル気流が生じる（以下の説明では、スパイラル気流にも空気流と同じ符号Ｂ１を用いる）。スパイラル気流Ｂ１は、渦を巻きながら直進して、少し遠くに干された洗濯物にも確実に届く。
【００２５】
一方、図６に示すように、温風供給部５２から供給される温風Ｂ２は、蛇腹ホース２３を通り、第２吹き出し口Ａ２からスパイラル気流Ｂ１とほぼ同じ方向に吹き出される。第２吹き出し口Ａ２から吹き出される温風Ｂ２は、周りの空気よりも温度が高いために上昇し、第１吹き出し口Ａ１から吹き出されるスパイラル気流Ｂ１に巻き込まれ、常温の空気流Ｂ１と共に渦を巻きながら直進して遠くの洗濯物に到達する。
【００２６】
本実施の形態に係る乾燥装置１は、送風部５１により常温の空気流Ｂ１を発生させて、風量を確保しつつ、温風供給部５２により十分に温かい温風Ｂ２を発生させている。即ち、第１吹き出し口Ａ１からの空気吹き出し風量は、第２吹き出し口Ａ２からの温風吹き出し風量よりも大きいのが望ましい。温風供給部５２に於いては、熱源２２に対し過不足のない風量の風を送り、温風Ｂ２の温度を適正に保つことができる。また、第１吹き出し口Ａ１からの空気吹き出し強度（風圧）は、第２吹き出し口Ａ２からの温風吹き出し強度よりも強いため、第２吹き出し口Ａ２からの温風Ｂ２は、第１吹き出し口Ａ１からの空気流Ｂ１の強さに引きずられて遠くの衣類まで確実に到達させることができる。
【００２７】
［ファンの使い分け・配置の工夫］
既に説明したように、送風部５１は、第１ファンＦ１として軸流式のプロペラファンを有する。このようなプロペラファンによれば、衣類に確実に到達可能な大風量の空気流Ｂ１を形成することができる。一方、温風供給部５２は、第２ファンＦ２として遠心式のシロッコファンを有する。このようなシロッコファンは、空気を押し出す力が強いため、熱源２２を設けたことによる通風抵抗の増加の影響を受けにくい。そのため、温風Ｂ２の風量を十分に確保することができ、衣類乾燥能率を向上させることが可能となる。
【００２８】
ここで、図６及び図１０に示すように、温風供給部５２は、第２ファンＦ２（シロッコファン）及び第２モータＭ２の回転軸心２５が水平状となるように構成されている。「水平状」とは、略水平と言い換えても良く、水平を含む概念である。このようにシロッコファンを縦に配置することで、左右方向の寸法を小さくでき、下部ハウジング２１内のスペースを有効利用できる結果、装置全体をコンパクトに設計できる。また、下部ハウジング２１の側面からの吸気が可能となり、通気口２１ａと操作部Ｐ等の干渉を避けている。従って、下部ハウジング２１は、通気口２１ａの配設箇所に操作部Ｐ等の制約を受けることがなく、広範囲かつ広い面積に通気口２１ａを形成でき、その結果、温風供給部５２の吸気を妨げることがなく、温風Ｂ２を効率良く供給できる。
【００２９】
［左右首振り・上下首振り］
図７は、乾燥装置１下部の左右首振り機構（主に台座部２）を説明するための拡大断面図であり、図６中の破線枠で示される範囲を示すものである。また、図８は、図７に示されるボトムプレート２ａとボトムキャップ２ｐを取り外し、底面側から見た場合を示している。図７に示すように、可動本体部３は、台座部２に載置されており、可動本体部３は、台座部２に対して鉛直軸心廻りに９０度範囲で左右首振り自在に設けられている。９０度範囲とは、前方を基準として左右に４５度ずつの角度である。左右首振りの往復運動は、図８に示されるモータ２ｍとリンク機構２ｎにより実現される。使用者が操作部Ｐのボタンを押して左右首振りを指示すると、モータ２ｍが駆動し、モータ２ｍの回転運動をリンク機構２ｎで往復運動に変換してスイングアーム２ｃに伝達し、スイングアーム２ｃがボトムプレート２ａの中心部に設けられた左右首振り軸２ｄの周りを回動し、スイングアーム２ｃの回動をアンダーパネル２ｂに伝達する。アンダーパネル２ｂの脚部２ｆの先端にはローラー２ｇが取り付けられ、このローラー２ｇがローラー走行部２ｈを走行するようになっている。これにより、可動本体部３の重量を左右首振り軸２ｄだけでなく脚部２ｆでも受けることができるため、左右首振り時のガタつきを防止することが可能である。
【００３０】
図９は、下部本体部２０に対し上部本体部１０が上方に首を振った状態を示す右側面図である。例えば、上部本体部１０の上下首振りの可動域は、下部本体部２０に対して軸Ｏ廻りに１５度から７０度の角度範囲に設定されている。ここでいう「１５度」とは、台座部２の底面を基準として上方に１５度であり（図４参照）、「７０度」とは、台座部２の底面を基準として上方に７０度である（図９参照）。上下首振りを行った際に上部ハウジング１１と下部ハウジング２１とが干渉することを防ぐために、上下首振り軸Ｏを中心とする円弧状に上部ハウジング１１の下端部１１ｃと下部ハウジング２１の上端部２１ｃが側面視で湾曲面状に形成されている。
【００３１】
詳しい図示は省略するが、上部本体部１０の第１モータＭ１を保持するモータホルダーを下部本体部２０から立ち上げ、そのモータホルダーの上部に軸受けを設け、その軸受けで上部本体部１０を上下首振り軸Ｏ廻りに回動自在に枢支する構造になっている。使用者が上部本体部１０に回転力を付与して上下方向に動かすと、下部本体部２０に対して上部本体部１０がカチカチと回動し、所望の角度に位置決めできる構造になっている。上部本体部１０は軽量化されているため上下首振りの位置決め構造を簡素化することが可能である。また、温風供給部５２を下部本体部２０に内設することで、装置全体の重量バランスが低重心になり、転倒しにくい構造となる利点がある。
【００３２】
［上下首振り＋蛇腹ホース］
既に説明したように、温風供給部５２によって供給される温風Ｂ２は、蛇腹ホース２３を通じて第２吹き出し口Ａ２から吹き出される構造になっている。蛇腹ホース２３は、図９に示すように、自由に伸縮が可能であって、なおかつ、姿勢保持力があって曲げ形状を保持可能である。蛇腹ホース２３の姿勢保持力によって上部ハウジング１１下端の延設部１１ｄを支え、上部本体部１０の姿勢を保持している。また、蛇腹ホース２３は潰れにくいため、曲げ伸ばしした姿勢でも通風抵抗を増大させない。さらに、蛇腹ホース２３は可撓性（フレキシブル）であるため、上方に首を振ったときの蛇腹ホース２３の軌跡が上下首振り軸Ｏを中心とする円弧上に無くてもよく、設計の自由度が上がる。なお、蛇腹ホース２３は、軟質樹脂製の弾性管やゴム管等の可撓性管部材に置換しても良い。
【００３３】
［温風流路］
図１０は、本実施の形態に係る乾燥装置１内の温風流路の説明図である。この図に示すように、第２ファンＦ２の下流側に熱源２２が配置され、熱源２２の下流側に蛇腹ホース２３の一方端２３ａが固定されている。蛇腹ホース２３の他方端２３ｂは、リング３１により上部本体部１０側のフロントパネル１２に対して回転自在に取り付けられ、第２吹き出し口Ａ２に温風Ｂ２を誘導する。下部本体部２０に対する上部本体部１０の仰角を小さくして（具体的には１５度とする）、蛇腹ホース２３を縮めると、下部本体部２０（下部ハウジング２１）の前面に形成された凹部２１ｂに蛇腹ホース２３の大部分が収容される寸法になっている。
【００３４】
シロッコファン（第２ファンＦ２）を駆動すると、下部本体部２０の左右の側面部に形成された多数の通気口２１ａからフィルター２４を介して空気が取り込まれる。下部本体部２０内に取り込まれた空気は、シロッコファンから熱源２２に送られて、温められて温風Ｂ２となる。この温風Ｂ２は、熱源２２の下流側に配置された蛇腹ホース２３の一方端２３ａに送り込まれ、蛇腹ホース２３を通ってフロントパネル１２の第２吹き出し口Ａ２から吹き出される。
【００３５】
［吹き出し方向の追従＋蛇腹ホース捩れ防止］
既に説明したように、上部本体部１０に第１吹き出し口Ａ１と第２吹き出し口Ａ２が併設されているため、上部本体部１０が上下方向のどの角度に首を振った姿勢でも、常に、第１吹き出し口Ａ１から空気流Ｂ１が吹き出される送風方向と、第２吹き出し口Ａ２から温風Ｂ２が吹き出される温風方向とが、ほぼ平行に保たれる（図９参照）。
【００３６】
また、蛇腹ホース２３の他方端２３ｂは、フロントパネル１２に対して回転自在に取り付けられているため、蛇腹ホース２３の伸縮による捩れを吸収できる。もちろん、蛇腹ホース２３の一方端２３ａが下部本体部２０（下部ハウジング２１）に対して回転自在であっても、同様の効果を得ることができる。
【００３７】
［背面操作・背面ハンドル］
図１１は、本実施の形態に係る乾燥装置１の背面の説明図であり、（ａ）は乾燥装置１の斜視図、（ｂ）は操作部Ｐの平面図である。図１１（ａ）に示すように、上部ハウジング１１の上面の後端部に窪み１１ｅが設けられ、窪み１１ｅの上を横切るように左右方向に長いハンドルＨが設けられている。図１２に示すように、乾燥装置１は、前面の第１吹き出し口Ａ１・第２吹き出し口Ａ２から被乾燥物に向けて送風するため、乾燥装置１の設置場所を変更する場合などは背面からハンドルＨを持つのが使い勝手が良い。ハンドルＨは、上部ハウジング１１と一体的に形成され、すっきりとしたデザインになっている。また、ハンドルＨの下に窪み１１ｅがあるため、握りやすい構造になっている。
【００３８】
一方、下部本体部２０の上面に操作部Ｐが設けられている。操作部Ｐは、下部本体部２０の背面に設けても良く、あるいは、上面から背面にまたがって設けられていてもよい。また、操作部Ｐは、上部本体部１０の上面又は背面に設けられていてもよいし、上部本体部１０の上面から背面にまたがって設けられていてもよい。図１２に示すように、乾燥装置１は、前面の第１吹き出し口Ａ１・第２吹き出し口Ａ２から被乾燥物に向けて送風するため、操作は背面から行うのが容易であり、使い勝手が良い。
【００３９】
操作部Ｐには、図１１（ｂ）に示すように、運転ボタンＰ１、タイマーボタンＰ２、左右首振りボタンＰ３、送風ボタンＰ４、衣類乾燥（温風）ボタンＰ５などが含まれる。運転ボタンＰ１は、運転の切／入を設定するためのボタンである。タイマーボタンＰ２は、切タイマーを設定するためのボタンである。左右首振りボタンＰ３は、左右首振りのオン／オフを設定するためのボタンである。送風ボタンＰ４は、送風部５１だけを作動させるサーキュレータモードに切換えるボタンであって、押下される度に、空気流Ｂ１の強弱設定を静音→中→強の順に切り替える。衣類乾燥（温風）ボタンＰ５は、送風部５１と温風供給部５２を同時に作動させる衣類乾燥モードに切換えるボタンであって、押下される度に、送風部５１からの空気流Ｂ１の強弱設定と、温風供給部５２からの温風Ｂ２の強弱設定を、エコ→標準→速乾の順に切り替える。
【００４０】
［制御部］
乾燥装置１は、操作部Ｐの操作によって、電源のＯＮ/ＯＦＦ、第１モータＭ１及び第２モータＭ２の回転数、熱源２２の発熱量、左右首振りの作動、タイマー等を制御する制御部４０を備えている（図６参照）。制御部４０は、ＣＰＵ（Central Processing Unit）、ＲＯＭ（Read Only Memory）、ＲＡＭ（Random Access Memory）などから構成される制御基板である。
【００４１】
例えば、乾燥装置１は、電源ＯＮの状態で、操作部Ｐの衣類乾燥（温風）ボタンＰ５が押下されると、送風部５１と温風供給部５２を同時に作動させる衣類乾燥モードに切換り、衣類乾燥（温風）ボタンＰ５を押した回数によって、温風供給部５２の熱源２２の出力を、エコ・標準・速乾の各モードに対応する所定の入力値に増減させると共に、第１モータＭ１及び第２モータＭ２の回転数を、エコ・標準・速乾の各モードに対応する所定の入力値に増減させる。このときの第１モータＭ１及び第２モータＭ２の回転数は、エコ＜標準＜速乾となるように、予め個別に設定入力された数値に基づき、それぞれを独立して制御するようになっている。
【００４２】
次に、操作部Ｐの送風ボタンＰ４が押下されると、温風供給部５２の第２モータＭ２と熱源２２とを停止させ、送風部５１だけを作動させるサーキュレータモードに切換わる。送風ボタンＰ４を押した回数によって、（第２モータＭ２と熱源２２とを停止させたままの状態で）送風部５１の第１モータＭ１の回転数を、静音・中・強の各モードに対応する所定の入力値に増減させる。
【００４３】
［使用例］
図１２は、本実施の形態に係る乾燥装置１の使用例の説明図である。ここでは、室内に干された洗濯物１００の乾燥に利用する場合を例示している。これまで説明したように、乾燥装置１は、温風供給部５２により発生させる温風Ｂ２の風量、及び、温風Ｂ２の温度（熱量）を十分に確保でき、送風部５１からの常温の空気流（スパイラル気流）Ｂ１と温風供給部５２からの温風Ｂ２を混合して、大風量の乾燥風を発生させ、この大風量の乾燥風を衣類やタオル等に向けて送風して、洗濯物１００に直接当てることで洗濯物１００の乾燥を促進し、乾燥時間を短縮することができる。
【００４４】
本実施の形態に係る乾燥装置１によれば、自然乾燥に於ける衣類乾燥時間に比べ、衣類乾燥時間を約１／３倍に短縮できることが判かった。
【００４５】
また、図１２に示すように、室内干しのシーンに合わせて上下方向及び左右方向の首振り角度を自由に調節することができるため、高い位置に干された洗濯物１００や広い範囲に干された洗濯物１００に対して、常温の空気流（スパイラル気流）Ｂ１に温風Ｂ２が混合された大風量の乾燥風を直接当てることが可能である。スパイラル気流Ｂ１は、渦を巻きながら直進するため、乾燥装置１を洗濯物１００から一定距離より遠く離れた所に設置しても、洗濯物１００に乾燥風が届く。従って、左右方向の首振りで対応できる洗濯物１００の範囲が一層拡大し、高い所に干された洗濯物１００にも確実に上下方向の首振りで対応できる。さらに、このようなスパイラル気流Ｂ１・温風Ｂ２は、乾燥装置１の正面側から洗濯物１００に向けて吹き出されるが、可動本体部３の上面乃至背面に操作部Ｐがあるため、使用者は、乾燥装置１の前面に回り込むことなく背面側から容易に操作することができ、使い勝手が良い。
【００４６】
以上説明したように、本実施の形態に係る乾燥装置１は、空気流（空気）Ｂ１を第１吹き出し口Ａ１から吹き出す送風部５１と、温風Ｂ２を第２吹き出し口Ａ２から吹き出す温風供給部５２とを備え、第１吹き出し口Ａ１から空気流Ｂ１が吹き出される送風方向と第２吹き出し口Ａ２から温風Ｂ２が吹き出される温風方向とが被乾燥物に向かう方向となるように第１吹き出し口Ａ１と第２吹き出し口Ａ２とが併設されている。これにより、被乾燥物に向けて、送風部５１が常温の空気流Ｂ１を第１吹き出し口Ａ１から適度な風量・風速で吹き出し、かつ、温風供給部５２が温風Ｂ２を第２吹き出し口Ａ２から適度な温度・風量・風速で吹き出すことができる。常温の空気流Ｂ１の風量と温風Ｂ２の温度・風量を十分に確保でき、衣類乾燥能率を向上できる。また、使用者は、第２吹き出し口Ａ２の前に手をかざすことで、第２吹き出し口Ａ２から吹き出される温風Ｂ２の風量と熱量を容易に確認でき、温風がぬるいといったクレームを減少できる。
【００４７】
また、第２吹き出し口Ａ２は、第１吹き出し口Ａ１の下方近傍に設けられていてもよい。これにより、第２吹き出し口Ａ２から吹き出された温風Ｂ２が上昇し、第１吹き出し口Ａ１から吹き出された常温の空気流Ｂ１と確実に混合される。
【００４８】
また、第１吹き出し口Ａ１には、渦巻き状フィンＣ１が形成されていてもよい。これにより、第１吹き出し口Ａ１から吹き出される空気流Ｂ１が渦を巻くように回転力が付与され、スパイラル気流Ｂ１を発生させて、直進性を向上でき、このスパイラル気流Ｂ１に温風Ｂ２を巻き込んで、遠くの衣類に到達できる。
【００４９】
また、送風部５１は、第１モータＭ１によって回転駆動される第１ファンＦ１を有し、温風供給部５２は、第２モータＭ２によって回転駆動される第２ファンＦ２と、第２ファンＦ２の下流側に配置された熱源２２とを有してもよい。これにより、第１吹き出し口Ａ１から吹き出す常温の空気流Ｂ１の風量・風速を第１ファンＦ１の回転数を増減することで調整し、かつ、第２吹き出し口Ａ２から吹き出す温風Ｂ２の風量・風速を第２ファンＦ２の回転数を増減することで調整できる。即ち、常温の空気流Ｂ１の風量・風速と、温風Ｂ２の風量・風速を、個別（別々）に調整できる。従って、常温の空気流Ｂ１の風量を増大しても、温風Ｂ２の風量を適度に保ち、その温度を確保できる。
【００５０】
また、送風部５１は、第１ファンＦ１としてプロペラファンを有し、温風供給部５２は、第２ファンＦ２としてシロッコファンを有してもよい。これにより、送風部５１は大風量を実現でき、温風供給部５２は確実に温風Ｂ２を吹き出すことができる。
【００５１】
また、温風供給部５２は、第２ファンＦ２としてのシロッコファン及び第２モータＭ２の回転軸心２５が水平状となるように構成されていてもよい。これにより、シロッコファンを縦に配置することで、左右方向の寸法を小さくでき、装置全体をコンパクトに設計できる。また、装置の側面からの吸気が可能となり、操作部Ｐ等との干渉を避け、十分広い面積の吸気口からシロッコファンの吸気が行われ、温風Ｂ２を効率良く供給できる。
【００５２】
また、設置面に載置される台座部２と、台座部２上に左右首振り自在に支持される可動本体部３とを備え、可動本体部３は、送風部５１が内設された上部本体部１０と、温風供給部５２が内設された下部本体部２０とを有し、上部本体部１０が下部本体部２０に対して上下首振り自在に取着されていてもよい。これにより、左右方向・上下方向の首振りが可能で、広い範囲に配置された衣類に対応できる。また、装置の重心を低い位置に配置できる。さらに、上部本体部１０を軽量化でき、位置決め構造を簡素化できる。
【００５３】
また、第１吹き出し口Ａ１と第２吹き出し口Ａ２とが上部本体部１０の前面に形成され、上部本体部１０と下部本体部２０に連結される可撓性管部材を備え、下部本体部２０の温風供給部５２から供給される温風Ｂ２を、可撓性管部材を介して、上部本体部１０に形成された第２吹き出し口Ａ２に誘導してもよい。これにより、上部本体部１０が上下方向に首振りした場合であっても、空気流Ｂ１の送風方向と温風Ｂ２の温風方向とが平行状を維持できる。
【００５４】
また、可撓性管部材が蛇腹ホース２３から成り、蛇腹ホース２３の一方端２３ａまたは他方端２３ｂが上部本体部１０又は下部本体部２０に対して回転自在に取り付けられていてもよい。これにより、上部本体部１０の上下方向首振りに伴う蛇腹ホース２３の伸縮による捩れを吸収できる。また、蛇腹ホース２３の伸縮抵抗によって、上部ハウジング１１の位置決めを補助し、姿勢を保持できる。
【００５５】
また、可動本体部３の上面乃至背面側に操作部Ｐが設けられていてもよい。これにより、使用者が操作部Ｐを背面側から操作でき、操作容易になり、使い勝手を向上できる。
【００５６】
また、第１モータＭ１、第２モータＭ２、及び熱源２２を制御する制御部４０を備え、制御部４０は、操作部Ｐを用いて設定された内容に応じて、熱源２２の発熱量を増減させると共に、第１モータＭ１及び第２モータＭ２の回転数を増減させてもよい。制御部４０により、温風供給部５２の熱源２２の出力（発熱量）、第１モータＭ１の回転数、第２モータＭ２の回転数を、予め個別に設定入力された数値に基づき、それぞれを独立して制御できる。また、衣類乾燥モードで、常温の空気流Ｂ１の風量と温風Ｂ２の温度・風量を適宜調整でき、具体的には、衣類乾燥モードをエコ・標準・速乾の３段階に設定可能として、消費電力を低く抑えたい場合や急速に衣類を乾燥させたい場合等に対応できる。
【００５７】
また、第１モータＭ１、第２モータＭ２、及び熱源２２を制御する制御部４０を備え、制御部４０は、操作部Ｐを用いて設定された内容に応じて、第２モータＭ２と熱源２２とを停止させた状態で第１モータＭ１の回転数を増減させてもよい。これにより、衣類乾燥以外の用途として、部屋の空気を循環させるサーキュレータとして兼用できる。サーキュレータモードで、常温の空気流Ｂ１の風量を適宜調整でき、具体的には、サーキュレータモードを静音・中・強の３段階に設定できる。熱に弱い衣類の乾燥や夏季の使用、昼間のリビングでの静音運転にも対応できる。
【００５８】
また、第１吹き出し口Ａ１からの空気吹き出し風量が第２吹き出し口Ａ２からの温風吹き出し風量よりも大きくてもよい。これにより、第１吹き出し口Ａ１からの空気流Ｂ１の大風量を確保しつつ、温風供給部５２の熱源２２に対し過不足のない風量の風を送り、温風Ｂ２の温度を適正に保つことができる。
【００５９】
また、第１吹き出し口Ａ１からの空気吹き出し強度が第２吹き出し口Ａ２からの温風吹き出し強度よりも強くてもよい。これにより、第２吹き出し口Ａ２からの温風Ｂ２が弱くても、第１吹き出し口Ａ１からの空気流Ｂ１の強さに引きずられて遠くの衣類まで到達させることができる。
【００６０】
［その他の実施の形態］
上記のように、いくつかの実施の形態について記載したが、開示の一部をなす論述および図面は例示的なものであり、限定するものであると理解すべきではない。この開示から当業者には様々な代替実施の形態、実施例および運用技術が明らかとなろう。例えば、図示省略するが、第１吹き出し口Ａ１に放射状のストレートフィンを有していてもよい。また、第１吹き出し口Ａ１に対する第２吹き出し口Ａ２の位置は下方に限定されるものではなく、上方や側方の近傍であってもよい。
【００６１】
このように、本実施の形態は、ここでは記載していない様々な実施の形態などを含む。
【符号の説明】
【００６２】
１…乾燥装置
２…台座部
３…可動本体部
１０…上部本体部
１１…上部ハウジング
１２…フロントパネル
２０…下部本体部
２１…下部ハウジング
２２…熱源
２５…第２モータの回転軸心
２３…蛇腹ホース（可撓性管部材）
２３ａ…蛇腹ホースの一方端（可撓性管部材の一端）
２３ｂ…蛇腹ホースの他方端（可撓性管部材の一端）
４０…制御部
５１…送風部
５２…温風供給部
１００…洗濯物（被乾燥物）
Ａ１…第１吹き出し口
Ａ２…第２吹き出し口
Ｂ１…空気流（空気），スパイラル気流
Ｂ２…温風
Ｃ１…渦巻き状フィン
Ｃ２…ルーバー
Ｆ１…第１ファン
Ｆ２…第２ファン
Ｍ１…第１モータ
Ｍ２…第２モータ
Ｐ…操作部
【図１】
2019025040.tif 000003
【図２】
2019025040.tif 000004
【図３】
2019025040.tif 000005
【図４】
2019025040.tif 000006
【図５】
2019025040.tif 000007
【図６】
2019025040.tif 000008
【図７】
2019025040.tif 000009
【図８】
2019025040.tif 000010
【図９】
2019025040.tif 000011
【図１０】
2019025040.tif 000012
【図１１】
2019025040.tif 000013
【図１２】
2019025040.tif 000014
【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
空気を第１吹き出し口から吹き出す送風部と、
温風を第２吹き出し口から吹き出す温風供給部とを備え、
温風を吹き出す前記第２吹き出し口は、空気を吹き出す前記第１吹き出し口の下方近傍に設けられ、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設されている乾燥装置。
【請求項２】
前記第１吹き出し口には、渦巻き状フィンが形成されている請求項１記載の乾燥装置。
【請求項３】
前記送風部は、第１モータによって回転駆動される第１ファンを有し、
前記温風供給部は、第２モータによって回転駆動される第２ファンと、前記第２ファンの下流側に配置された熱源とを有する請求項１又は２に記載の乾燥装置。
【請求項４】
前記送風部は、前記第１ファンとしてプロペラファンを有し、
前記温風供給部は、前記第２ファンとしてシロッコファンを有する請求項３記載の乾燥装置。
【請求項５】
前記温風供給部は、前記第２ファンとしてのシロッコファン及び前記第２モータの回転軸心が水平状となるように構成されている請求項４記載の乾燥装置。
【請求項６】
第１モータによって回転駆動される第１ファンを有し、空気を第１吹き出し口から吹き出す送風部と、
第２モータによって回転駆動される第２ファンと、前記第２ファンの下流側に配置された熱源とを有し、温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、
設置面に載置される台座部と、
前記台座部上に左右首振り自在に支持される可動本体部とを備え、
前記可動本体部は、前記送風部が内設された上部本体部と、前記温風供給部が内設された下部本体部とを有し、前記上部本体部が前記下部本体部に対して上下首振り自在に取着されている乾燥装置。
【請求項７】
前記第１吹き出し口と前記第２吹き出し口とが前記上部本体部の前面に形成され、
前記上部本体部と前記下部本体部に連結される可撓性管部材を備え、
前記下部本体部の前記温風供給部から供給される前記温風を、前記可撓性管部材を介して、前記上部本体部に形成された前記第２吹き出し口に誘導する請求項６記載の乾燥装置。
【請求項８】
前記可撓性管部材が蛇腹ホースから成り、前記可撓性管部材の一端が前記上部本体部又は前記下部本体部に対して回転自在に取り付けられている請求項７記載の乾燥装置。
【請求項９】
前記可動本体部の上面乃至背面側に操作部が設けられている請求項６から８のいずれか１項に記載の乾燥装置。
【請求項１０】
第１モータによって回転駆動される第１ファンを有し、空気を第１吹き出し口から吹き出す送風部と、
第２モータによって回転駆動される第２ファンと、前記第２ファンの下流側に配置された熱源とを有し、温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、
前記第１モータ、前記第２モータ、及び前記熱源を制御する制御部を備え、
前記制御部は、操作部を用いて設定された内容に応じて、前記熱源の発熱量を増減させると共に、前記第１モータ及び前記第２モータの回転数を増減させるように構成された乾燥装置。
【請求項１１】
第１モータによって回転駆動される第１ファンを有し、空気を第１吹き出し口から吹き出す送風部と、
第２モータによって回転駆動される第２ファンと、前記第２ファンの下流側に配置された熱源とを有し、温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、
前記第１モータ、前記第２モータ、及び前記熱源を制御する制御部を備え、
前記制御部は、操作部を用いて設定された内容に応じて、前記第２モータと前記熱源とを停止させた状態で前記第１モータの回転数を増減させるように構成された乾燥装置。
【請求項１２】
空気を第１吹き出し口から吹き出す送風部と、
温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、
前記第１吹き出し口からの空気吹き出し風量が前記第２吹き出し口からの温風吹き出し風量よりも大きい乾燥装置。
【請求項１３】
空気を第１吹き出し口から吹き出す送風部と、
温風を第２吹き出し口から吹き出す温風供給部とを備え、
前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、
前記第１吹き出し口からの空気吹き出し強度が前記第２吹き出し口からの温風吹き出し強度よりも強い乾燥装置。
【手続補正２】
【補正対象書類名】明細書
【補正対象項目名】０００７
【補正方法】変更
【補正の内容】
【０００７】
本実施の形態の一態様によれば、空気を第１吹き出し口から吹き出す送風部と、温風を第２吹き出し口から吹き出す温風供給部とを備え、温風を吹き出す前記第２吹き出し口は、空気を吹き出す前記第１吹き出し口の下方近傍に設けられ、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設されている乾燥装置が提供される。
また、本実施の形態の他の一態様によれば、第１モータによって回転駆動される第１ファンを有し、空気を第１吹き出し口から吹き出す送風部と、第２モータによって回転駆動される第２ファンと、前記第２ファンの下流側に配置された熱源とを有し、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、設置面に載置される台座部と、前記台座部上に左右首振り自在に支持される可動本体部とを備え、前記可動本体部は、前記送風部が内設された上部本体部と、前記温風供給部が内設された下部本体部とを有し、前記上部本体部が前記下部本体部に対して上下首振り自在に取着されている乾燥装置が提供される。
また、本実施の形態の他の一態様によれば、第１モータによって回転駆動される第１ファンを有し、空気を第１吹き出し口から吹き出す送風部と、第２モータによって回転駆動される第２ファンと、前記第２ファンの下流側に配置された熱源とを有し、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、前記第１モータ、前記第２モータ、及び前記熱源を制御する制御部を備え、前記制御部は、操作部を用いて設定された内容に応じて、前記熱源の発熱量を増減させると共に、前記第１モータ及び前記第２モータの回転数を増減させるように構成された乾燥装置が提供される。
また、本実施の形態の他の一態様によれば、第１モータによって回転駆動される第１ファンを有し、空気を第１吹き出し口から吹き出す送風部と、第２モータによって回転駆動される第２ファンと、前記第２ファンの下流側に配置された熱源とを有し、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、前記第１モータ、前記第２モータ、及び前記熱源を制御する制御部を備え、前記制御部は、操作部を用いて設定された内容に応じて、前記第２モータと前記熱源とを停止させた状態で前記第１モータの回転数を増減させるように構成された乾燥装置が提供される。
また、本実施の形態の他の一態様によれば、空気を第１吹き出し口から吹き出す送風部と、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、前記第１吹き出し口からの空気吹き出し風量が前記第２吹き出し口からの温風吹き出し風量よりも大きい乾燥装置が提供される。
また、本実施の形態の他の一態様によれば、空気を第１吹き出し口から吹き出す送風部と、温風を第２吹き出し口から吹き出す温風供給部とを備え、前記第１吹き出し口から空気が吹き出される送風方向と前記第２吹き出し口から温風が吹き出される温風方向とが被乾燥物に向かう方向となるように前記第１吹き出し口と前記第２吹き出し口とが併設され、前記第１吹き出し口からの空気吹き出し強度が前記第２吹き出し口からの温風吹き出し強度よりも強い乾燥装置が提供される。